(57)【要約】【課題】所定の位置での電池温度を検出するとともに、迅速かつ容易に組み立てられる電子機器を提供する。【解決手段】可撓性を有する温度センサを、その温度検出部分が回路基板の端部から延出するように接続する。外装ケースに設けた位置決め部材で温度センサを押圧し、温度センサが電池ケースの所定の位置、すなわち温度測定位置にくるようにする。あるいは、電池ケースの温度測定位置に設けた管状の挿入部に温度センサを挿入して位置決めを行うとともに、抜け止め部材で押圧することにより温度センサが抜けないようにする。【選択図】  図１
2004349119.tif 000002
【特許請求の範囲】
【請求項１】
電池が挿入される電池ケースと、回路基板と、前記電池ケース及び回路基板を収納する外装ケースとを有する電子機器において、
前記電池ケースの温度を検出するための温度センサであって、前記回路基板の端部から延出するように取り付けられた可撓性を有する配線部と該配線部の先端に設けられたセンサ部とからなる温度センサと、
前記外装ケースに設けられた前記温度センサの位置決め部材であって、前記温度センサが取り付けられた回路基板及び電池ケースが前記外装ケースに収納されたときに前記温度センサを押圧し、該温度センサのセンサ部を前記電池ケースの所定の温度検出部位に位置決めする位置決め部材と、
を備えたことを特徴とする電子機器。
【請求項２】
前記位置決め部材は、前記外装ケースに一体成形された部材であることを特徴とする請求項１に記載の電子機器。
【請求項３】
前記位置決め部材は、前記温度センサの配線部を跨ぐ凹部を有し、該凹部により温度センサの長手方向と直交する方向の位置を規制することを特徴とする請求項１または請求項２に記載の電子機器。
【請求項４】
前記位置決め部材の凹部は、前記外装ケースに加わる外力が前記温度センサに加わらないように前記電池ケースに当接することを特徴とする請求項３に記載の電子機器。
【請求項５】
電池が挿入される電池ケースと、回路基板と、前記電池ケースおよび回路基板を収納する外装ケースとを有する電子機器において、
前記電池ケースの温度を検出するための温度センサであって、前記回路基板の端部から延出するように取り付けられた可撓性を有する配線部と該配線部の先端に設けられたセンサ部とからなる温度センサと、
前記電池ケースの所定の温度検出部位に設けられ、前記温度センサが挿入される管状の挿入部と、
を備えたことを特徴とする電子機器。
【請求項６】
前記挿入部は、孔部と、孔部の縁を突出させて形成された突出部とを有し、該突出部により前記温度センサを外力から保護することを特徴とする請求項５に記載の電子機器。
【請求項７】
前記外装ケースは前記温度センサの抜け止め部材をさらに備え、該抜け止め部材は、前記温度センサが取り付けられた回路基板および前記挿入部に前記温度センサが挿入された電池ケースが前記外装ケースに収納されたときに前記温度センサを押圧し、該温度センサが前記挿入部から抜けるのを阻止することを特徴とする請求項５または請求項６に記載の電子機器。
【請求項８】
前記抜け止め部材は、前記外装ケースに一体成形された部材であることを特徴とする請求項７に記載の電子機器。
【発明の詳細な説明】
【０００１】
【発明の属する技術分野】
本発明は電子機器に係り、特に所定の位置での温度を検出する温度センサを備えた電子機器に関するものである。
【０００２】
【従来の技術】
電池を使用する電子機器において、異常時の電流遮断等のために、温度検出センサを設けたものが知られている。このような電子機器では、ヒューズやサーモスタット、サーミスタ等の素子を用いて電池や電池ケースの温度を検出している。
【０００３】
例えば、電池室に収納された電池の温度を測定し、その結果に基づいて回路内の電流の遮断制御を行う電子機器が知られている（特許文献１参照）。この電子機器では、電池を収納する電池室の内部に温度検出素子用の収納空間を設け、そこに温度検出素子を嵌入することにより、所定の位置での温度検出を行うようになっている。
【０００４】
また、温度素子を所定の位置に配設し、電池の温度上昇に対する安全性を高くしたパック電池が知られている（例えば、特許文献２参照）。このパック電池では、電池ケースを２つに分けて構成するとともに、回路基板に温度検出素子を接続して電池ケースの一方に収納し、蓋で固定する。この電池ケースの温度検出素子と対応する位置に窓を開口しておくことにより、電池及び回路基板をケースに収納した際に、温度検出素子が所定の位置での電池温度を測定できるようになっている。
【０００５】
また、複数の電池と、充電池の電池保護回路を形成する電子部品とをケース内に収納した電池パックが知られている（例えば、特許文献３参照）。この電池パックでは、フレキシブルプリント基板（以下、ＦＰＣという）に温度検出素子を装着し、その周りをコの字状に取り囲んで切り欠きを設ける。また、電池ケースの蓋には温度検出素子と対応する位置に突起部を設けておく。電池及び基板をケース内に収容した際に突起部が温度検出素子を押圧するので、組立ての際にＦＰＣの折り曲げ作業を行うこと無く、素子が所定の位置に収納されるようになっている。
【０００６】
【特許文献１】
特開２００２−２９８８０８号公報（図５）
【０００７】
【特許文献２】
特開平７−３２０７０８号公報（図１）
【０００８】
【特許文献３】
特開平７−１２２２４９号公報（図２）
【０００９】
【発明が解決しようとする課題】
しかしながら、上述のような従来の電子機器やパック電池、電池パックは、構造が複雑で部品点数も多く、組立てに多大な手間と時間を要するものとなっている。
【００１０】
例えば、上記特許文献１に記載の技術では、電池室を複数の部品により構成するとともに電池室内部に温度検出素子を収納する空間を設けているので、構造が複雑であり部品点数も多い。また、温度検出素子は上記空間へ嵌入し接着剤を用いて固定するので、組立てが手間と時間を要するものとなっている。
【００１１】
また、上記特許文献２に記載の技術では、プリント基板を収納する空間をケースに設けるとともに、温度素子が電池に接するよう窓を開口させる必要があり、さらにプリント基板は蓋で固定しているので、構造が複雑で部品点数も多くなっている。
【００１２】
また、上記特許文献３に記載の技術では、フレキシブルプリント基板に装着した温度素子の周囲に切り欠きを設けているので、基板と電池の距離が長くなると所定の位置での温度測定が困難になるとともに、基板のうち有効利用できない部分が増加する。さらに、構造が複雑であり加工や組立てに手間と時間を要するものとなっている。
【００１３】
本発明は上記事情を鑑みてなされたもので、所定の位置での温度を検出するとともに、迅速かつ容易に組み立てられる電子機器を提供することを目的とする。
【００１４】
【課題を解決するための手段】
前記目的を達成するために、請求項１に係る電子機器は、電池が挿入される電池ケースと、回路基板と、前記電池ケース及び回路基板を収納する外装ケースとを有する電子機器において、前記電池ケースの温度を検出するための温度センサであって、前記回路基板の端部から延出するように取り付けられた可撓性を有する配線部と該配線部の先端に設けられたセンサ部とからなる温度センサと、前記外装ケースに設けられた前記温度センサの位置決め部材であって、前記温度センサが取り付けられた回路基板及び電池ケースが前記外装ケースに収納されたときに前記温度センサを押圧し、該温度センサのセンサ部を前記電池ケースの所定の温度検出部位に位置決めする位置決め部材と、を備えたことを特徴としている。
【００１５】
請求項１に係る電子機器では、位置決め部材により温度センサの位置決めが行われるので、所定の位置における温度を測定することができるとともに、位置決めのために電池ケースの形状を特別なものとする必要がない。また、温度センサの位置決めを行うには、温度センサが取り付けられた回路基板および電池ケースを外装ケースに収納すればよいので、迅速かつ容易に組立てを行うことができる。
【００１６】
請求項２に係る電子機器は、請求項１に係る電子機器において、前記位置決め部材は、前記外装ケースに一体成形された部材であることを特徴としている。
【００１７】
請求項２に係る電子機器では、部品点数を増やす必要が無く、加工や組立てを迅速かつ容易に行うことができる。
【００１８】
請求項３に係る電子機器は、請求項１または請求項２に記載の電子機器において、前記位置決め部材は、前記温度センサの配線部を跨ぐ凹部を有し、該凹部により温度センサの長手方向と直交する方向の位置を規制することを特徴としている。
【００１９】
請求項３に係る電子機器では、凹部が温度センサの位置を規制するので、所定の位置における温度検出をより確実に行うことができる。
【００２０】
請求項４に係る電子機器は、請求項３に記載の電子機器において、前記位置決め部材の凹部は、前記外装ケースに加わる外力が前記温度センサに加わらないように前記電池ケースに当接することを特徴としている。
【００２１】
請求項４に係る電子機器では、温度センサを外力から保護することができる。
【００２２】
請求項５に係る電子機器は、電池が挿入される電池ケースと、回路基板と、前記電池ケースおよび回路基板を収納する外装ケースとを有する電子機器において、前記電池ケースの温度を検出するための温度センサであって、前記回路基板の端部から延出するように取り付けられた可撓性を有する配線部と該配線部の先端に設けられたセンサ部とからなる温度センサと、前記電池ケースの所定の温度検出部位に設けられ、前記温度センサが挿入される管状の挿入部と、を備えたことを特徴としている。
【００２３】
請求項５に係る電子機器では、温度センサを挿入部に挿入することにより温度センサの位置決めが行われるので、所定の位置における温度を測定することができるとともに、迅速かつ容易に組立てを行うことができる。
【００２４】
請求項６に係る電子機器は、請求項５に記載の電子機器において、前記挿入部は、孔部と、孔部の縁を突出させて形成された突出部とを有し、該突出部により前記温度センサを外力から保護することを特徴としている。
【００２５】
請求項６に係る電子機器では、温度センサを外力から保護することができる。
【００２６】
請求項７に係る電子機器は、請求項５または請求項６に記載の電子機器において、前記外装ケースは前記温度センサの抜け止め部材をさらに備え、該抜け止め部材は、前記温度センサが取り付けられた回路基板および前記挿入部に前記温度センサが挿入された電池ケースが前記外装ケースに収納されたときに前記温度センサを押圧し、該温度センサが前記挿入部から抜けるのを阻止することを特徴としている。
【００２７】
請求項７に係る電子機器では、温度センサが挿入部から抜けるのが阻止され、所定の位置における温度検出をより確実に行うことができる。
【００２８】
請求項８に係る電子機器は、請求項７に記載の電子機器において、前記抜け止め部材は、前記外装ケースに一体成形された部材であることを特徴としている。
【００２９】
請求項８に係る電子機器では、部品点数を増やす必要が無く、加工や組立てを迅速かつ容易に行うことができる。
【００３０】
【発明の実施の形態】
以下、添付図面に従って、本発明に係る電子機器の好ましい実施の形態について詳説する。
（第一の実施形態）
図１は、本発明に係る電子機器が適用されたデジタルカメラ１０の分解斜視図である。デジタルカメラ１０は、電池ケース１２と、回路基板１４と、キャビネット１６とを備えている。電池ケース１２には、電池３０が収納される。
【００３１】
回路基板１４は電子回路４０を備えており、電子回路４０には温度センサ１８が接続されている。温度センサ１８は、図２に示すように、可撓性を有するフレキシブルプリント基板（以下、ＦＰＣという）１８ａに、温度を検出するサーミスタ１８ｂと導線１８ｃとが装着されて構成されており、サーミスタ１８ｂは導線１８ｃを介して電子回路４０に接続されている。
【００３２】
電子回路４０は、温度センサ１８が検出した温度が所定の値を超えると、異常と判断して電流を遮断する制御を行う。
【００３３】
キャビネット１６は、フロントキャビネット１６ａとリアキャビネット１６ｂとに分割されており、組み立てるとデジタルカメラ１０の筐体を構成する。図１および図３に示すように、リアキャビネット１６ｂにはリブ２０が一体成形されている。
【００３４】
リブ２０は、縦リブ２２と横リブ２４から構成されており、デジタルカメラ１０を組み立てると、縦リブ２２が、温度センサ１８を電池ケース１２の所定の位置にくるように押圧する。横リブ２４は凹字型をしており、温度センサ１８を跨いで位置ずれを阻止するとともに、端部２４ａが電池ケース１２に当接し、温度センサ１８を外力から保護する（図３、図４、図５および図６参照）。
【００３５】
デジタルカメラ１０は、上述の部品の他、回路基板１４に備えられたＬＣＤ５０やレンズユニット６０、シャッターボタン７０やカーソルキー７２、ボタン７４等を含み、これらの部品により被写体の撮影や撮影画像の表示等の処理を行うようになっている。
【００３６】
図３は、デジタルカメラ１０の組立てを示す斜視図である。図３（Ａ）に示すように、フロントキャビネット１６ａに電池ケース１２、回路基板１４、およびレンズユニット６０を装着し、これにリアキャビネット１６ｂを合わせると、図３（Ｂ）に示すように、温度センサ１８がリブ２０により押圧され、電池ケース１２の所定の位置に位置決めされる。デジタルカメラ１０の組み立て時の断面を図４に示す。また、組み立てたデジタルカメラ１０をリアキャビネット１６ｂ方向から見た状態を図５に示す。
【００３７】
電池ケース１２の温度測定に際しては、温度センサ１８は電池ケース１２と密着している必要はなく、温度の測定が可能な距離内にあればよい。リブ２０は、センサ１８が電池ケース１２から所定の距離内（例えば、０．５ｍｍ以下）にあるように押圧するようになっている。
【００３８】
デジタルカメラ１０では、このようにして、電池ケース１２の所定の位置における温度を検出することができ、また、この結果をもとに電流遮断の制御を行うことができる。
【００３９】
また、デジタルカメラ１０では、組立てにより温度センサ１８の位置決めがなされるので、温度センサ１８を固定する部品や嵌入、接着等の工程が不要である。すなわち、迅速かつ容易に組立てを行うことができる。
【００４０】
さらに、デジタルカメラ１０が組み立てられると、横リブ２４により温度センサ１８の位置ずれが阻止されるとともに、横リブ２４の端部２４ａが電池ケース１２に当接し、温度センサ１８が外力から保護される（図４、図５および図６参照）。
【００４１】
なお、本実施の形態では、電子機器をデジタルカメラ１０とした場合について説明しているが、本発明に係る電子機器の適用はデジタルカメラに限定されるものではない。本発明は、デジタルカメラの他、銀塩写真カメラ、ビデオカメラ、携帯電話、個人用情報端末（ＰＤＡ）等、種々の電子機器に適用することが可能である。
【００４２】
また、本実施の形態では、円筒形の電池３０を二本用いる場合について説明しているが、本発明に係る電子機器では、電池の形状や本数は本実施の形態に示すものに限定されない。同様に、電池ケースも、収納される電池の形状や本数に応じて種々の形状とすることができる。
（第二の実施形態）
図８は、本発明に係る電子機器が適用されたデジタルカメラ１０’の分解斜視図である。デジタルカメラ１０’は、電池ケース１２’と、回路基板１４’と、キャビネット１６’とを備えている。
【００４３】
電池ケース１２’には、所定の位置、すなわち温度測定位置に管状の挿入部１２’ａが設けられている。なお、電池ケース１２’には電池３０’が収納される。
【００４４】
回路基板１４’には電子回路４０’が備えられており、電子回路４０’には温度センサ１８’が接続されている。この温度センサ１８’は、挿入部１２’ａに挿入される。図８および図９に示すように、挿入部１２’ａの内側は電池側に向かって先細りになっており、挿入された温度センサ１８’を止め、また抜けにくくしている。なお、温度センサ１８’の構成は、第一の実施形態における温度センサ１８（図２参照）と同様である。
【００４５】
電子回路４０’は、温度センサ１８’が検出した温度が所定の値を超えると、異常と判断して電流を遮断する制御を行う。
【００４６】
キャビネット１６’は、フロントキャビネット１６’ａとリアキャビネット１６’ｂとに分割されており、組み立てるとデジタルカメラ１０’の筐体を構成する。図７および図９に示すように、リアキャビネット１６’ｂには、リブ２０’が一体成形されている。
【００４７】
リブ２０’は、縦リブ２２’と横リブ２４’から構成されており、デジタルカメラ１０’を組み立てると、縦リブ２２’が温度センサ１８’を押圧して挿入部１２’ａから抜けないようにする。横リブ２４’は凹字型をしており、組み立てると温度センサ１８’を跨ぐようになっている。
【００４８】
デジタルカメラ１０’は、上述の部品の他、回路基板１４’に備えられたＬＣＤ５０’やレンズユニット６０’、シャッターボタン７０’やカーソルキー７２’、ボタン７４’等を含み、これらの部品により被写体の撮影や撮影画像の表示等の処理を行うようになっている。
【００４９】
図８は、デジタルカメラ１０’の組立てを示す断面図である。図８（Ａ）に示すように、フロントキャビネット１６’ａに電池ケース１２’、回路基板１４’、およびレンズユニット６０’を装着し、温度センサ１８’を挿入部１２’ａに挿入する。これにより、温度センサ１８’が所定の位置に位置決めされ、位置ずれが阻止される。
【００５０】
この状態でリアキャビネット１６’ｂを合わせると、図８（Ｂ）に示すように、温度センサ１８’がリブ２０’により押圧され、挿入部１２’ａからの抜けが阻止されるとともに、位置ずれがさらに阻止される。
【００５１】
このように、挿入部１２’ａおよびリブ２０’により温度センサ１８’が所定の位置に位置決めされ、また抜け止めがなされる。従って、デジタルカメラ１０’では、電池ケース１２’の所定の位置において温度検出を確実に行うことができ、また、この結果を基に電流遮断の制御を行うことができる。
【００５２】
また、デジタルカメラ１０’では、温度センサ１８’を挿入部１２’ａに挿入することにより温度センサ１８’の位置決めがなされるので、温度センサ１８’を固定する部品や接着等の工程が不要である。すなわち、迅速かつ容易に組立てを行うことができる。
【００５３】
さらに、デジタルカメラ１０’では、挿入部１２’ａにより温度センサ１８’が外力から保護される（図８および図９参照）。
【００５４】
なお、本実施の形態では、電子機器をデジタルカメラ１０’とした場合について説明しているが、本発明に係る電子機器の適用はデジタルカメラに限定されるものではない。本発明は、デジタルカメラの他、銀塩写真カメラ、ビデオカメラ、携帯電話、個人用情報端末（ＰＤＡ）等、種々の電子機器に適用することが可能である。
【００５５】
また、本実施の形態では、円筒形の電池３０’を二本用いる場合について説明しているが、本発明に係る電子機器では、電池の形状や本数は本実施の形態に示すものに限定されない。同様に、電池ケースも、収納される電池の形状や本数に応じて種々の形状とすることができる。
【００５６】
【発明の効果】
以上説明したように、本発明に係る電子機器では、所定の位置での温度を検出するとともに、迅速かつ容易に組立てを行うことができる。
【図面の簡単な説明】
【図１】本発明の一の実施の形態に係り、デジタルカメラの分解斜視図である。
【図２】本発明の一の実施の形態に係り、回路基板および温度センサを示す図である。
【図３】本発明の一の実施の形態に係り、リブによる温度センサの押圧を示す斜視図である。
【図４】本発明の一の実施の形態に係り、リブによる温度センサの押圧を示す断面図である。
【図５】本発明の一の実施の形態に係り、デジタルカメラの組立て状態を示す透視図である。
【図６】本発明の一の実施の形態に係り、リブの形状を示す図である。
【図７】本発明の他の実施の形態に係り、デジタルカメラの分解斜視図である。
【図８】本発明の他の実施の形態に係り、温度センサの位置決め及び抜け止めを示す図である。
【図９】本発明の他の実施の形態に係り、温度センサの位置決め及び抜け止めを示す拡大図である。
【符号の説明】
１０，１０’・・・デジタルカメラ、１２，１２’・・・電池ケース、１２’ａ・・・挿入部、１４，１４’・・・回路基板、１６，１６・・・キャビネット、１６ａ，１６’ａ・・・フロントキャビネット、１６ｂ，１６’ｂ・・・リアキャビネット、１８，１８’・・・温度センサ、１８ａ・・・ＦＰＣ、１８ｂ・・・サーミスタ、１８ｃ・・・導線、２０，２０’・・・リブ、２２，２２’・・・縦リブ、２４、２４’・・・横リブ、２４ａ・・・端部
【図１】
2004349119.tif 000003
【図２】
2004349119.tif 000004
【図３】
2004349119.tif 000005
【図４】
2004349119.tif 000006
【図５】
2004349119.tif 000007
【図６】
2004349119.tif 000008
【図７】
2004349119.tif 000009
【図８】
2004349119.tif 000010
【図９】
2004349119.tif 000011